(57)【特許請求の範囲】
【請求項１】
基板上に、ストライプ状の複数のデータ電極と、発光層と、ストライプ状の複数の走査電極が順次形成され、前記データ電極と前記走査電極との交差部にマトリックス状の発光素子が形成された画像表示部と、該画像表示部を駆動するカラム駆動回路及びロウ駆動回路を備え、前記発光素子を選択して発光させることにより画像を表示する画像表示装置において、
前記ロウ駆動回路は、隣合った前記走査電極をｎ本（ｎ＝２以上の整数）同時に駆動し、前記発光素子を同時に駆動する前記走査電極数分の水平区間続けて発光して順次点灯させる機能を有し、
前記カラム駆動回路は、前記発光素子の電流密度が変化しないように、前記データ電極に流す電流を前記走査電極を１本駆動する場合に流す電流のｎ倍にするように制御する機能を有することを特徴とする画像表示装置。
【請求項２】
前記複数の走査電極それぞれを少なくとも２つの領域に分割することにより、前記画像表示部を少なくとも２つの領域に分割して画像を表示する複数の画像表示部としたことを特徴とする請求項１記載の画像表示装置。
【請求項３】
前記発光素子は、ＥＬ素子、発光ダイオード、ＦＥＤのいずれか１種であることを特徴とする請求項１または２のいずれかに記載の画像表示装置。
【請求項４】
基板上に、ストライプ状の複数のデータ電極と、発光層と、ストライプ状の複数の走査電極が順次形成され、前記データ電極と前記走査電極との交差部にマトリックス状の発光素子が形成された画像表示部と、該画像表示部を駆動するカラム駆動回路及びロウ駆動回路を備え、該発光素子を選択して発光させることにより画像を表示する画像表示装置の駆動方法であって、
隣合った前記走査電極をｎ本（ｎ＝２以上の整数）同時に駆動し、前記発光素子を同時に駆動する前記走査電極数分の水平区間続けて発光して順次点灯させ、かつ前記発光素子の電流密度が変化しないように、前記データ電極に流す電流を前記走査電極を１本駆動する場合に流す電流のｎ倍にするように制御することを特徴とする画像表示装置の駆動方法。
【発明の詳細な説明】
【０００１】
【発明の属する技術分野】
本発明は、画像表示装置及びその駆動方法に関し、特に、簡単な回路構成と簡単な操作で輝度の調整が可能な画像表示装置及びその駆動方法に関するものである。
【０００２】
【従来の技術】
近年のディスプレイの需要拡大は著しく、特に、液晶表示装置（ＬＣＤ）、プラズマディスプレイ（ＰＤ）等に代表されるフラットパネルディスプレイへの期待が高まっている。
特に、エレクトロルミネッセンス（ＥＬ）等の自発光型の画像表示装置は、視認性が高く、視野角も優れている等の特徴があり、ＬＣＤと異なり、バックライトを必要としないという利点がある。さらに、有機エレクトロルミネッセンス（ＥＬ）素子を用いた画像表示装置の場合は、応答特性も優れている平面型ディスプレイとして注目されている。
【０００３】
このような有機ＥＬ素子を用いたドットマトリクスディスプレイの駆動方式としては、単純マトリクス方式とアクティブマトリクス方式がある。
図１０は、従来の単純マトリクス方式のカラー有機ＥＬディスプレイを示すブロック図であり、ＮＴＳＣ信号を使用するＱＶＧＡクラスのカラー有機ＥＬディスプレイパネル１０１に、カラム側を駆動するカラム駆動回路１０２と、ロウ側を駆動するロウ駆動回路１０３が設けられた構成である。
このカラー有機ＥＬディスプレイパネル１０１は、ガラス等の透明基板上に、陽極（データ電極）であるストライプ状の透明電極と、有機ＥＬ薄膜と、陰極（走査電極）であるストライプ状の金属電極とが順次形成され、前記陽極と陰極は互いに直交したマトリックス構造とされている。
【０００４】
図１１は、このカラー有機ＥＬディスプレイの動作のタイミングチャートを示す図であり、駆動方法をシングルスキャン駆動方式とし、陰極（走査電極）が２４０本、陽極（データ電極）が３２０×３（ＲＧＢ）＝９６０本のマトリクスの例である。
このカラー有機ＥＬディスプレイでは、ロウ駆動回路１０３にて陰極（走査電極）を順次駆動するが、この２４０本の走査電極Ｙ１〜Ｙ２４０を１本ずつ順次走査して１画面とするため、Ｄｕｔｙ比が１／２４０となる。この駆動装置では、走査（スキャン）している走査電極が常に１本であることから、この駆動方法をシングルスキャン駆動方式と称している。
【０００５】
また、このシングルスキャン駆動方式に対して、ダブルスキャン駆動方式と称される駆動方法がある。
このダブルスキャン駆動方式は、ディスプレイの輝度を上げるためにロウ側の走査電極を常に２本とした駆動方法で、例えば、ＱＶＧＡクラスのカラー有機ＥＬディスプレイの場合、水平走査線数を２分割する位置に対応するところで垂直方向上下に２分割し、上下のそれぞれの走査電極（各１２０本）を１スキャン駆動して上下で１画面とし、Ｄｕｔｙ比が１／１２０となるようにしている。なお、このダブルスキャン方式に関する公知例としては、例えば、特開昭６１−２６４８７６号公報がある。
【０００６】
【発明が解決しようとする課題】
ところで、上述した従来の単純マトリクス方式の場合、ディスプレイの走査電極が多くなるほど、またはＤｕｔｙ比が小さくなるほど、発光時間が減少するため、有機ＥＬディスプレイの輝度が低下するという問題点があった。
有機ＥＬ素子の場合、発光輝度は発光画素の電流密度に比例する。そこで、有機ＥＬディスプレイの輝度を上げる方法として、例えば、有機ＥＬ素子の駆動電圧を上げることにより、有機ＥＬ素子の電流密度を増加させる方法が採られる。しかしながら、この方法では、駆動電圧を上げることが有機ＥＬ素子の寿命を縮めることになるという問題点がある。また、電圧調整のための回路を走査電極またはデータ電極毎に設ける必要があることから、回路構成が複雑になると共に、その制御も複雑になり、製品のコストが増大するという問題点もある。
【０００７】
例えば、シングルスキャン駆動方式の場合、走査電極を１本ずつ駆動させて発光素子を点灯しているため、走査電極数が多くなるほど反比例してＤｕｔｙ比が小さくなり、有機ＥＬディスプレイの輝度が低下するという問題点がある。例えば、ＱＶＧＡクラスの有機ＥＬディスプレイの場合、走査電極は２４０本でＤｕｔｙは１／２４０、ディスプレイの発光輝度はピーク輝度で７０ｃｄ／ｍ２程度であり、実用レベルとしては不十分なものであった。
【０００８】
また、上述した従来のダブルスキャン方式では、カラー有機ＥＬディスプレイの発光輝度の低下が改善されるものの、カラム側に表示データを制御するためのメモリ回路が必要となり、かつ上下のディスプレイ画像の、ＲＧＢ信号の増幅のレベルを一致させるためのＲＧＢ信号微調整用回路の構成が複雑になると共に、その制御も複雑となり、製品のコストが増大するという問題点がある。
【０００９】
本発明は、上記の事情に鑑みてなされたものであって、簡単な回路構成と簡単な操作で輝度の調整が可能な画像表示装置及びその駆動方法を提供することを目的とする。
【００１０】
【課題を解決するための手段】
上記課題を解決するために、本発明は次のような画像表示装置及びその駆動方法を採用した。
すなわち、本発明の請求項１記載の画像表示装置は、基板上に、ストライプ状の複数のデータ電極と、発光層と、ストライプ状の複数の走査電極が順次形成され、前記データ電極と前記走査電極との交差部にマトリックス状の発光素子が形成された画像表示部と、該画像表示部を駆動するカラム駆動回路及びロウ駆動回路を備え、前記発光素子を選択して発光させることにより画像を表示する画像表示装置において、前記ロウ駆動回路は、隣合った前記走査電極を２本以上同時に駆動し、前記発光素子を同時に駆動する前記走査電極数分の水平区間続けて発光して順次点灯させる機能を有し、前記カラム駆動回路は、前記発光素子の電流密度が変化しないように前記データ電極の電流を制御する機能を有することを特徴とする。
【００１１】
請求項２記載の画像表示装置は、請求項１記載の画像表示装置において、前記複数の走査電極それぞれを少なくとも２つの領域に分割することにより、前記画像表示部を少なくとも２つの領域に分割して画像を表示する複数の画像表示部としたことを特徴とする。
【００１２】
請求項３記載の画像表示装置は、請求項２記載の画像表示装置において、前記複数の走査電極のうち最後の走査電極の後に第２の電極を設け、前記最後の走査電極を十分に発光させることを特徴とする。
【００１３】
請求項４記載の画像表示装置は、請求項１、２または３記載の画像表示装置において、前記発光素子は、ＥＬ素子、発光ダイオード、ＦＥＤのいずれか１種であることを特徴とする。
【００１４】
請求項５記載の画像表示装置の駆動方法は、基板上に、ストライプ状の複数のデータ電極と、発光層と、ストライプ状の複数の走査電極が順次形成され、前記データ電極と前記走査電極との交差部にマトリックス状の発光素子が形成された画像表示部と、該画像表示部を駆動するカラム駆動回路及びロウ駆動回路を備え、該発光素子を選択して発光させることにより画像を表示する画像表示装置の駆動方法であって、隣合った前記走査電極を２本以上同時に駆動し、前記発光素子を同時に駆動する前記走査電極数分の水平区間続けて発光して順次点灯させ、かつ前記発光素子の電流密度が変化しないように前記データ電極の電流を制御することを特徴とする。
【００１５】
【発明の実施の形態】
本発明の画像表示装置及びその駆動方法の各実施形態について図面に基づき説明する。
【００１６】
［第１の実施の形態］
図１は本発明の第１の実施の形態のシングルスキャン駆動方式のＱＶＧＡクラスのカラー有機ＥＬディスプレイ（画像表示装置）を示すブロック図であり、有機ＥＬディスプレイパネル（画像表示部）１には、有機ＥＬディスプレイパネル１のカラム側を駆動するカラム駆動回路２と、有機ＥＬディスプレイパネル１のロウ側を駆動するロウ駆動回路３が設けられている。
【００１７】
この有機ＥＬディスプレイパネル１は、図２に示すように、ガラス等の透明基板１１上に、ストライプ状の透明電極からなる陽極（データ電極）１２と、有機ＥＬ薄膜（発光層）１３と、ストライプ状の金属電極からなる陰極（走査電極）１４が順次形成され、その上にガラス等の透明基板１５が設けられ、陽極１２と陰極１４は互いに直交したマトリックス構造とされている。そして、この陽極（データ電極）１２と陰極（走査電極）１４の交差部にはマトリックス状の有機ＥＬ画素（有機ＥＬ素子）１６が形成されている。
【００１８】
カラム駆動回路２は、与えられた制御データによって有機ＥＬディスプレイパネル１のカラム側の駆動を行い、かつ、与えられた信号電圧レベルによって所定の電流値の信号に変換し、有機ＥＬディスプレイパネル１内の有機ＥＬ画素１６に所定の電流密度の電流を与えることによって画像を表示する。
【００１９】
ロウ駆動回路３は、与えられた制御データによって、有機ＥＬディスプレイパネル１のロウ側の駆動を行い、画像を表示する。本実施の形態のロウ側の駆動方法は、ロウ側の電極の接続を電源側または接地側またはある中間電位に切り替える。
このロウ駆動回路３では、駆動時には電極の接続を接地側とし、非駆動時には電極の接続を電源側とする方法、駆動時には電極の接続を電源側とし、非駆動時には電極の接続を接地側とする方法、駆動時には電極の接続を接地側または電源側とし、非駆動時には電極の接続をある中間電位とする方法、駆動時には電極の接続をある中間電位とし、非駆動時には電極の接続を接地側または電源側とする方法、のいずれかの方法により駆動する。
ここでは、駆動時には電極の接続を接地側とし、非駆動時には電極の接続を電源側とする方法を適用した。
【００２０】
次に、本実施の形態のカラー有機ＥＬディスプレイの動作について説明する。
このカラー有機ＥＬディスプレイでは、例えば、上記のように１組以上のマトリックス配置された陰極（走査電極）１４および陽極（データ電極）１２と、これら陰極（走査電極）１４および陽極（データ電極）１２間に形成される有機ＥＬ画素１６とを有する有機ＥＬディスプレイパネル１において、ロウ駆動回路３に制御信号を与えて有機ＥＬディスプレイパネル１のｎ番目と（ｎ−１）番目の陰極（走査電極）１４を同時に駆動しつつ順次走査していく。同時に、カラム駆動回路２に制御信号を与えて、有機ＥＬディスプレイパネル１の各有機ＥＬ画素１６の電流密度が変化しないように陽極（データ電極）１２に２倍の電流を流し、画像を表示する。
【００２１】
ここで、このカラー有機ＥＬディスプレイのより具体的な動作について説明する。
図３は本実施の形態のＱＶＧＡクラスのカラー有機ＥＬディスプレイのマトリクス図である。
図３に示すように、ＱＶＧＡクラスの電極数は、陰極（走査電極）１４が２４０本、陽極（データ電極）１２が３２０×３（ＲＧＢ）＝９６０本である。
また、陰極１４と陽極１２に有機ＥＬ画素１６が挟まれてマトリクス状となっている。さらに、各陽極１２にはカラム駆動回路２が、各陰極１４にはロウ駆動回路３がそれぞれ接続されている。
【００２２】
このカラー有機ＥＬディスプレイでは、走査電極Ｙ１と接続されている有機ＥＬ画素１６は時間Ｔ１〜Ｔ３の間点灯し、走査電極Ｙ２と接続されている有機ＥＬ画素１６は時間Ｔ２〜Ｔ４の間点灯するため、時間Ｔ２〜Ｔ３の間は走査電極Ｙ２の表示データで走査電極Ｙ１及びＹ２が同時に駆動し、この走査電極に接続されている有機ＥＬ画素１６も同時に点灯する。
【００２３】
このため、画像は上方向に伸び、縦方向の解像度が１／２になると考えられるが、実際には、走査電極は１本ずつ順次走査するため、画像は上方向に伸びることはなく、かつ縦方向の解像度が１／２までは劣化することがない。また、１ドットの横線データの場合は顕著に横線が２倍に広がり解像度が１／２になるが、横方向には全く解像度は劣化していない。このため、動画などの自然画の場合は、データ処理等で計算した限りでは、縦方向の解像度は本来の解像度の８０％程度に劣化するに過ぎないことがわかる。
【００２４】
図４は、本実施の形態のＱＶＧＡクラスのカラー有機ＥＬディスプレイの動作を示すタイミングチャート図であり、ＮＴＳＣ信号を使用して、陰極（走査電極）１４を２本同時に駆動した場合である。
ＮＴＳＣ信号は、垂直同期信号６０Ｈｚ、水平同期期間１５．７５ｋＨｚ（６３．５μｓ）である。
【００２５】
このカラー有機ＥＬディスプレイでは、ロウ駆動回路３に制御信号を与えて、各々の陰極（走査電極）１４の駆動時間を通常の２倍の時間である１２７μｓにし、かつ通常と同じように６３．５μｓ毎に陰極（走査電極）１４をＹ１、Ｙ２、Ｙ３、…と１本ずつ順次ずらしていく。と同時に、カラム駆動回路２に制御信号を与えて、陽極１２に２倍の電流を流すことによって有機ＥＬ画素１６の電流密度が変化しないようにして駆動する。
【００２６】
図５は、有機ＥＬ画素の電流密度と画素輝度の関係を示す図であり、この有機ＥＬ画素は、電流密度と画素輝度がほぼ比例関係を有することを示している。よって、ディスプレイパネルの輝度を一定に保つためには、有機ＥＬ画素の電流密度を一定に保てばよいことがわかる。
【００２７】
本実施の形態では、陰極（走査電極）１４を２本同時に駆動する場合に、カラムからの電流を変化させなかったとすると、有機ＥＬ画素１６に流れる電流（電流密度）が１／２となり、パネル輝度も１／２に低下してしまうことになる。したがって、この輝度の低下を避けるためには、陰極（走査電極）１４を２本同時に駆動する場合に、カラムからの電流を変化させて２倍とし、有機ＥＬ画素１６の電流密度が変化しないようにすればよい。
【００２８】
以上説明したように、本実施の形態のカラー有機ＥＬディスプレイによれば、有機ＥＬディスプレイパネル１の隣り合う２本以上の陰極（走査電極）１４を同時に駆動しつつ順次走査していくことで、簡単にＤｕｔｙ比を１／１２０や１／８０に変更することができる。したがって、発光輝度も２倍や３倍に向上させることができ、十分に実用化に耐えうるだけの輝度を得ることができる。
また、ロウ駆動回路３とカラム駆動回路２それぞれの制御データを変更するだけで、有機ＥＬディスプレイパネル１の発光輝度を極めて簡単な操作で調整することができる。
【００２９】
また、上下分割によるダブルスキャン駆動方式とは異なるため、データ制御信号を一旦メモリ回路等で記憶しておく必要が無いため、メモリ回路等が不要な簡単な回路構成とすることができる。
さらに、ＲＧＢ信号の増幅回路は１つですむため、ＲＧＢ信号微調整回路も簡単化することができる。したがって、コストを低減することができる。
また、陰極（走査電極）１４の駆動の本数を簡単な制御データで容易に変更することができるので、簡単な操作でディスプレイの輝度を調光することができる。
【００３０】
以上により、付加的な回路等を必要とせず、簡単な回路構成とすることで、簡単な操作で輝度調整を行うことができ、しかも画面のちらつきもないカラー有機ＥＬディスプレイおよびその駆動方法を提供することができる。
また、複雑なＲＧＢ信号調整の必要が無いので、その分回路構成を簡略化することができ、低コストのカラー有機ＥＬディスプレイを提供することができる。
【００３１】
［第２の実施の形態］
図６は本発明の第２の実施の形態のダブルスキャン駆動方式のＱＶＧＡクラスのカラー有機ＥＬディスプレイ（画像表示装置）を示すブロック図であり、上下に２分割した画像２１ａ、２１ｂを表示するダブルスキャン駆動の有機ＥＬディスプレイパネル（画像表示部）２１と、有機ＥＬディスプレイパネル２１の上下に２分割した画像２１ａ、２１ｂ各に設けられてカラム側を駆動するカラム駆動回路２２ａ、２２ｂと、画像２１ａ、２１ｂに同じタイミングの信号を提供するためのロウ駆動回路２３とから構成されている。
【００３２】
ここで、有機ＥＬディスプレイパネル２１は、上下に２分割した画像２１ａ、２１ｂを表示するダブルスキャン駆動のため、画像２１ａ、２１ｂそれぞれにカラム駆動回路を設ける必要がある。一方、ロウ駆動回路２３は上下に分割した画像２１ａ、２１ｂに同じタイミングの信号を提供すればよいので１つでよい。
【００３３】
次に、本実施の形態のカラー有機ＥＬディスプレイの動作について図面に基づき説明する。
図７は本実施の形態のＱＶＧＡクラスのカラー有機ＥＬディスプレイのダブルスキャン方式でのマトリクス図である。
図７に示すように、陽極（データ電極）１２は陰極（走査電極）１４の１２０本と１２１本の間で切断されており、上側の画像２１ａにカラム側からカラム駆動回路２２ａが、下側の画像２１ｂにカラム側からカラム駆動回路２２ｂが、それぞれ接続されている構成である。
【００３４】
図８は、本実施の形態のＱＶＧＡクラスのカラー有機ＥＬディスプレイの動作を示すタイミングチャート図であり、ＮＴＳＣ信号を使用してカラー有機ＥＬディスプレイをダブルスキャン駆動させたものである。
このカラー有機ＥＬディスプレイでは、ロウ駆動回路２３に制御信号を与えて、各々の陰極（走査電極）１４の駆動時間を通常の２倍の時間である２５４μｓに設定して、かつ通常と同じように１２７μｓ毎に走査電極をＹ１、Ｙ２、Ｙ３、…と１本ずつ順次ずらしていく。この時、走査電極Ｙ１〜Ｙ１２０と走査電極Ｙ１２１〜Ｙ２４０は同じタイミングで駆動する。と同時に、カラム駆動回路２２ａ、２２ｂに制御信号を与えて、陽極１２に２倍の電流を流すことによって有機ＥＬ画素１６の電流密度が変化しないようにして駆動する。
【００３５】
本実施の形態のカラー有機ＥＬディスプレイでは、図９（ａ）に示すように、上側の画像２１ａ及び下側の画像２１ｂ共に走査電極Ｙ１〜Ｙ１２０と走査電極Ｙ１２１〜Ｙ２４０は同じタイミングで上から下に走査して駆動しているが、例えば、図９（ｂ）に示すように、上側の画像２１ａ及び下側の画像２１ｂがそれぞれ端から中央に走査して駆動する構成としても、また、図９（ｃ）に示すように、上側の画像２１ａ及び下側の画像２１ｂがそれぞれ中央から端に走査して駆動する構成としても、あるいは、図９（ｄ）に示すように、上側の画像２１ａ及び下側の画像２１ｂ共に下から上に走査して駆動する構成としてもよい。
【００３６】
本実施の形態のカラー有機ＥＬディスプレイによれば、Ｄｕｔｙ比を１／１２０から１／６０（＝２／１２０）に簡単に変更することができ、したがって、ディスプレイの発光輝度を極めて容易に２倍に上げることができる。
また、縦方向の解像度を同様に８０％程度の劣化に留めることができる。
また、ロウ駆動回路２３とカラム駆動回路２２ａ、２２ｂの制御データを変更するだけで、有機ＥＬディスプレイパネル２１の発光輝度を極めて簡単な操作で調整することができる。
【００３７】
以上、本発明の画像表示装置及びその駆動方法の各実施形態について図面に基づき説明してきたが、具体的な構成は本実施形態に限定されるものではなく、本発明の要旨を逸脱しない範囲で設計の変更等が可能である。
例えば、上記の各実施の形態では、発光素子として、有機ＥＬ素子を用いたが、無機ＥＬ素子、発光ダイオード、ＦＥＤ等を用いてもよい。
また、各実施の形態の有機ＥＬディスプレイの駆動方法は、隣り合った走査電極の駆動本数を３本以上としてもよいことは言うまでもない。
また、使用する映像信号はＮＴＳＣ信号に限らず、ＰＡＬ信号、ＨＤＴＶ信号、ＶＧＡ信号、デジタル信号等でもよいことは言うまでもない。
【００３８】
【発明の効果】
以上説明した様に、本発明によれば、発光素子による単純マトリクス構造の画像表示装置を駆動する際、隣り合った走査電極を少なくとも２本同時に駆動して順次走査線を重ね合わせて走査することにより発光素子を点灯するので、簡単にＤｕｔｙ比を変更することができる。したがって、発光輝度を向上させることができ、十分に実用化に耐えうるだけの輝度を得ることができる。
【００３９】
また、ロウ駆動回路とカラム駆動回路それぞれの制御データを変更するだけで、画像表示装置の発光輝度を極めて簡単な操作で調整することができる。
また、走査電極の駆動の本数を簡単な制御データで容易に変更することができるので、簡単な回路構成と簡単な操作で輝度の調整を行うことができる。
以上により、簡単な回路構成と簡単な操作で輝度の調整が可能な画像表示装置及びその駆動方法を提供することができる。
【図面の簡単な説明】
【図１】  本発明の第１の実施の形態のシングルスキャン駆動方式のＱＶＧＡクラスのカラー有機ＥＬディスプレイを示すブロック図である。
【図２】  本発明の第１の実施の形態の有機ＥＬディスプレイパネルを示す断面図である。
【図３】  本発明の第１の実施の形態のカラー有機ＥＬディスプレイを示すマトリクス図である。
【図４】  本発明の第１の実施の形態のカラー有機ＥＬディスプレイの動作を示すタイミングチャート図である。
【図５】  有機ＥＬ画素の電流密度と画素輝度の関係を示す図である。
【図６】  本発明の第２の実施の形態のダブルスキャン駆動方式のＱＶＧＡクラスのカラー有機ＥＬディスプレイを示すブロック図である。
【図７】  本発明の第２の実施の形態のカラー有機ＥＬディスプレイのダブルスキャン方式を示すマトリクス図である。
【図８】  本発明の第２の実施の形態のカラー有機ＥＬディスプレイの動作を示すタイミングチャート図である。
【図９】  本発明の第２の実施の形態のカラー有機ＥＬディスプレイパネルの上側の画像及び下側の画像の走査電極の走査方向の例を示す模式図である。
【図１０】  従来の単純マトリクス方式のカラー有機ＥＬディスプレイを示すブロック図である。
【図１１】  従来のカラー有機ＥＬディスプレイの動作のタイミングチャートを示す図である。
【符号の説明】
１  有機ＥＬディスプレイパネル（画像表示部）
２  カラム駆動回路
３  ロウ駆動回路
１１  透明基板
１２  陽極（データ電極）
１３  有機ＥＬ薄膜（発光層）
１４  陰極（走査電極）
１５  透明基板
１６  有機ＥＬ画素（有機ＥＬ素子）
２１  有機ＥＬディスプレイパネル（画像表示部）
２１ａ、２１ｂ  画像
２２ａ、２２ｂ  カラム駆動回路
２３  ロウ駆動回路
【図１】
0003758930.tif 000002
【図２】
0003758930.tif 000003
【図３】
0003758930.tif 000004
【図４】
0003758930.tif 000005
【図５】
0003758930.tif 000006
【図６】
0003758930.tif 000007
【図７】
0003758930.tif 000008
【図８】
0003758930.tif 000009
【図９】
0003758930.tif 000010
【図１０】
0003758930.tif 000011
【図１１】
0003758930.tif 000012